(57)【要約】  利用者に対して適切な行動を促すことができる入退管理システムを提供する。入退管理システムは、出入口に設けられ、識別体（７）から識別情報を読み取る読取装置と、前記読取装置が識別体（７）から識別情報を読み取った際に当該識別体（７）の速度を解析し、当該識別体（７）の速度履歴を記憶し、当該識別体（７）の速度の値が閾値を超えた場合に当該識別体（７）の速度履歴に応じて異なる制御を行う管理装置（５）と、を備えた。当該構成を備えることにより、利用者に対して適切な行動を促すことができる。
2017203658.tif 000002
【特許請求の範囲】
【請求項１】
出入口に設けられ、識別体から識別情報を読み取る読取装置と、  前記読取装置が識別体から識別情報を読み取った際に当該識別体の速度を解析し、当該識別体の速度履歴を記憶し、当該識別体の速度の値が閾値を超えた場合に当該識別体の速度履歴に応じて異なる制御を行う管理装置と、を備えた入退管理システム。
【請求項２】
前記管理装置は、当該識別体の速度履歴の中で当該識別体の速度の値が前記閾値を超えた回数に応じて異なる制御を行う請求項１に記載の入退管理システム。
【請求項３】
前記管理装置は、当該識別体の速度履歴に応じて前記読取装置に対応して設けられた報知装置に対して異なる内容を報知させる請求項１または請求項２に記載の入退管理システム。
【請求項４】
前記管理装置は、当該識別体の速度履歴に応じて前記出入口の通行可否を判定する請求項１から請求項３のいずれか１項に記載の入退管理システム。
【請求項５】
前記管理装置は、前記出入口の通行を許可した際に前記出入口の扉に設けられた電子錠を解き、前記出入口の通行を許可しない際に前記出入口の扉に設けられた電子錠を解かない請求項４に記載の入退管理システム。
【請求項６】
前記管理装置は、前記出入口の通行を許可した際に前記出入口の自動ドアを開き、前記出入口の通行を許可しない際に前記出入口の自動ドアを開かない請求項４に記載の入退管理システム。
【請求項７】
前記管理装置は、前記出入口の通行を許可した際に前記出入口のセキュリティゲートを開き、前記出入口の通行を許可しない際に前記出入口のセキュリティゲートを開かない請求項４に記載の入退管理システム。
【請求項８】
出入口の外側に設けられ、識別体から識別情報を読み取る外側読取装置と、  前記出入口の内側に設けられ、識別体から識別情報を読み取る内側読取装置と、  前記外側読取装置または前記内側読取装置が識別体から識別情報を読み取った際に当該識別体の速度を解析し、当該識別体の速度履歴を記憶し、前記外側読取装置と前記内側読取装置とが互いに異なる識別体から識別情報を同時に読み取っている場合に前記外側読取装置により識別情報を読み取られている識別体の速度履歴と前記内側読取装置により識別情報を読み取られている識別体の速度履歴との比較結果に基づいて前記出入口の通行の優先順位を判定する管理装置と、を備えた入退管理システム。
【請求項９】
エレベータの乗場に設けられ、識別体から識別情報を読み取る乗場側読取装置と、  前記エレベータのかごに設けられ、識別体から識別情報を読み取るかご側読取装置と、  前記乗場側読取装置または前記かご側読取装置が識別体から識別情報を読み取った際に当該識別体の速度を解析し、当該識別体の速度履歴を記憶し、当該識別体の速度の値が閾値を超えた場合に当該識別体の速度履歴に応じて異なるエレベータの制御を行うようにエレベータ制御部にエレベータ制御信号を出力する管理装置と、を備えた入退管理システム。
【請求項１０】
前記管理装置は、識別体の速度の値が閾値を超えた場合に前記エレベータのかごが到着できない利用制限階を設定するようにエレベータ制御部にエレベータ制御信号を出力する請求項９に記載の入退管理システム。
【請求項１１】
前記管理装置は、識別体の速度の値が閾値を超えた回数が予め設定された回数に到達し、当該識別体が前記乗場側読取装置の読取範囲内に存在する場合、前記乗場の乗場操作盤の操作結果を無効にするように前記エレベータ制御部にエレベータ制御信号を出力する請求項９に記載の入退管理システム。
【請求項１２】
前記管理装置は、識別体の速度の値が閾値を超えた回数が予め設定された回数に到達し、当該識別体が前記かご側読取装置の読取範囲内に存在する場合、前記かごのかご操作盤の操作結果を無効にするように前記エレベータ制御部にエレベータ制御信号を出力する請求項９に記載の入退管理システム。
【請求項１３】
前記管理装置は、識別体の速度の値が閾値を超えた回数が予め設定された回数に到達し、当該識別体が前記乗場側読取装置の読取範囲内に存在する場合、前記かごが前記乗場に到着したときに前記かごの戸開を阻止するように前記エレベータ制御部にエレベータ制御信号を出力する請求項９に記載の入退管理システム。
【請求項１４】
前記管理装置は、識別体の速度の値が閾値を超えた回数が予め設定された回数に到達し、当該識別体が前記かご側読取装置の読取範囲内に存在する場合、前記かごの戸閉および走行を阻止するように前記エレベータ制御部にエレベータ制御信号を出力する請求項９に記載の入退管理システム。
【発明の詳細な説明】
【技術分野】
【０００１】  この発明は、入退管理システムに関する。
【背景技術】
【０００２】  特許文献１は、入退管理システムを開示する。当該入退管理システムは、利用者の衝突のおそれがある場合に速度を落とすように報知する。その結果、利用者の衝突を回避し得る。
【先行技術文献】
【特許文献】
【０００３】
【特許文献１】日本特開２００７−３１６９８０号公報
【発明の概要】
【発明が解決しようとする課題】
【０００４】  しかしながら、特許文献１に記載の入退管理システムにおいては、利用者の衝突のおそれがある場合に、一定のメッセージしか流れない。このため、利用者に対して適切な行動を促すことができない。【０００５】  この発明は、上述の課題を解決するためになされた。この発明の目的は、利用者に対して適切な行動を促すことができる入退管理システムを提供することである。
【課題を解決するための手段】
【０００６】  この発明に係る入退管理システムは、出入口に設けられ、識別体から識別情報を読み取る読取装置と、前記読取装置が識別体から識別情報を読み取った際に当該識別体の速度を解析し、当該識別体の速度履歴を記憶し、当該識別体の速度の値が閾値を超えた場合に当該識別体の速度履歴に応じて異なる制御を行う管理装置と、を備えた。【０００７】  この発明に係る入退管理システムは、出入口の外側に設けられ、識別体から識別情報を読み取る外側読取装置と、前記出入口の内側に設けられ、識別体から識別情報を読み取る内側読取装置と、前記外側読取装置または前記内側読取装置が識別体から識別情報を読み取った際に当該識別体の速度を解析し、当該識別体の速度履歴を記憶し、前記外側読取装置と前記内側読取装置とが互いに異なる識別体から識別情報を同時に読み取っている場合に前記外側読取装置により識別情報を読み取られている識別体の速度履歴と前記内側読取装置により識別情報を読み取られている識別体の速度履歴との比較結果に基づいて前記出入口の通行の優先順位を判定する管理装置と、を備えた。【０００８】  この発明に係る入退管理システムは、エレベータの乗場に設けられ、識別体から識別情報を読み取る乗場側読取装置と、前記エレベータのかごに設けられ、識別体から識別情報を読み取るかご側読取装置と、前記乗場側読取装置または前記かご側読取装置が識別体から識別情報を読み取った際に当該識別体の速度を解析し、当該識別体の速度履歴を記憶し、当該識別体の速度の値が閾値を超えた場合に当該識別体の速度履歴に応じて異なるエレベータの制御を行うようにエレベータ制御部にエレベータ制御信号を出力する管理装置と、を備えた。
【発明の効果】
【０００９】  これらの発明によれば、識別体の速度履歴に応じて異なる制御が行われる。このため、利用者に対して適切な行動を促すことができる。
【図面の簡単な説明】
【００１０】
【図１】この発明の実態の形態１における入退管理システムの構成図である。
【図２】この発明の実態の形態１における入退管理システムの管理装置の動作の概要を説明するためのフローチャートである。
【図３】この発明の実施の形態１における入退管理システムの管理装置のハードウェア構成図である。
【図４】この発明の実態の形態２における入退管理システムの構成図である。
【図５】この発明の実態の形態２における入退管理システムの管理装置の動作とエレベータの動作との概要を説明するためのフローチャートである。
【発明を実施するための形態】
【００１１】  この発明を実施するための形態について添付の図面に従って説明する。なお、各図中、同一又は相当する部分には同一の符号が付される。当該部分の重複説明は適宜に簡略化または省略する。
【００１２】実施の形態１．  図１はこの発明の実態の形態１における入退管理システムの構成図である。
【００１３】  図１において、扉１は、管理区画の出入口に設けられる。電子錠２は、扉１に設けられる。外側報知装置３ａは、扉１の付近において管理区画の外側に設けられる。内側報知装置３ｂは、扉１の付近において管理区画の内側に設けられる。
【００１４】  入退管理システムは、外側読取装置４ａと内側読取装置４ｂと管理装置５とを備える。
【００１５】  外側読取装置４ａは、扉１の付近において管理区画の出入口の外側に設けられる。内側読取装置４ｂは、扉１の付近において管理区画の出入口の内側に設けられる。例えば、管理装置５は、管理室に設けられる。
【００１６】  管理装置５は、ＩＤ認証部５ａと運動解析部５ｂと記憶部５ｃと電子錠制御部５ｄと報知制御部５ｅとを備える。
【００１７】  識別体７は、利用者に携帯される。例えば、識別体７は、ハンズフリータグである。
【００１８】  識別体７が外側読取装置４ａまたは内側読取装置４ｂに対して操作されると、外側読取装置４ａまたは内側読取装置４ｂは、識別体７から識別情報を読み取る。
【００１９】  管理装置５において、ＩＤ認証部５ａは、外側読取装置４ａまたは内側読取装置４ｂが識別体７から読み取った識別情報に基づいて認証処理を行う。例えば、ＩＤ認証部５ａは、外側読取装置４ａまたは内側読取装置４ｂが識別体７から読み取った識別情報と予め記憶した識別情報との比較結果に基づいて出入口の通行可否を判定する。
【００２０】  運動解析部５ｂは、外側読取装置４ａまたは内側読取装置４ｂが識別体７から識別情報を読み取った際に当該識別体７の速度を解析する。例えば、運動解析部５ｂは、外側読取装置４ａまたは内側読取装置４ｂが識別体７から識別情報を読み取った際の電波強度の変化に基づいて当該識別体７の扉１への接近速度を解析する。
【００２１】  記憶部５ｃは、ＩＤ認証部５ａにより認証された識別情報を利用者ＩＤ情報６ａとして記憶する。記憶部５ｃは、運動解析部５ｂにより解析された識別体７の速度を速度履歴６ｂとして識別情報と対応付けて記憶する。
【００２２】  電子錠制御部５ｄは、ＩＤ認証部５ａの認証結果と運動解析部５ｂの解析結果と記憶部５ｃに記憶された速度履歴６ｂとに基づいて電子錠２を制御する。
【００２３】  例えば、外側読取装置４ａまたは内側読取装置４ｂが識別体７から識別情報を読み取った際に当該識別体７の速度の値が閾値を超えた場合に、電子錠制御部５ｄは、当該識別体７の速度履歴６ｂに応じて出入口の通行可否を判定する。例えば、この際の閾値は、６ｋｍ／ｓに設定される。電子錠制御部５ｄは、出入口の通行可否の判定結果に基づいて電子錠２を解くか否かを判定する。
【００２４】  例えば、外側読取装置４ａと内側読取装置４ｂとが互いに異なる識別体７から識別情報を同時に読み取っている場合、電子錠制御部５ｄは、出入口の通行の優先順位を判定する。具体的には、電子錠制御部５ｄは、外側読取装置４ａにより識別情報を読み取られている識別体７の速度履歴６ｂと内側読取装置４ｂにより識別情報を読み取られている識別体７の速度履歴６ｂとを比較する。電子錠制御部５ｄは、当該比較結果に基づいて出入口の通行の優先順位を判定する。
【００２５】  電子錠制御部５ｄは、当該優先順位に基づいて電子錠２を制御する。例えば、出入口の外側から内側への通行が優先される場合、電子錠制御部５ｄは、外側読取装置４ａにより識別情報を読み取られている識別体７の速度に応じたタイミングで電子錠２を解く。例えば、出入口の内側から外側への通行が優先される場合、電子錠制御部５ｄは、内側読取装置４ｂにより識別情報を読み取られている識別体７の速度に応じたタイミングで電子錠２を解く。
【００２６】  報知制御部５ｅは、ＩＤ認証部５ａの認証結果と運動解析部５ｂの解析結果と記憶部５ｃに記憶された速度履歴６ｂとに基づいて外側報知装置３ａと内側報知装置３ｂとを制御する。
【００２７】  例えば、外側読取装置４ａが識別体７から識別情報を読み取った際に当該識別体７の速度の値が閾値を超えた場合に、報知制御部５ｅは、当該識別体７の速度履歴６ｂの中で当該識別体７の速度の値が閾値を超えた回数が多いほど外側報知装置３ａからのブザー音を大きくする。例えば、この際の閾値は、６ｋｍ／ｓに設定される。
【００２８】  例えば、内側読取装置４ｂが識別体７から識別情報を読み取った際に当該識別体７の速度の値が閾値を超えた場合に、報知制御部５ｅは、当該識別体７の速度履歴６ｂの中で当該識別体７の速度の値が閾値を越えた回数が多いほど内側報知装置３ｂからのブザー音を大きくする。例えば、この際の閾値は、６ｋｍ／ｓに設定される。
【００２９】  例えば、外側読取装置４ａと内側読取装置４ｂとが互いに異なる識別体７から識別情報を同時に読み取っている場合、報知制御部５ｅは、出入口の通行の優先順位を判定する。具体的には、報知制御部５ｅは、外側読取装置４ａにより識別情報を読み取られている識別体７の速度履歴６ｂと内側読取装置４ｂにより識別情報を読み取られている識別体７の速度履歴６ｂとを比較する。報知制御部５ｅは、当該比較結果に基づいて出入口の通行の優先順位を判定する。
【００３０】  報知制御部５ｅは、当該優先順位に基づいて外側報知装置３ａと内側報知装置３ｂとを制御する。報知制御部５ｅは、外側報知装置３ａと内側報知装置３ｂとに対し向かい側から利用者が接近している旨を報知させる。例えば、出入口の外側から内側への通行が優先される場合、報知制御部５ｅは、外側報知装置３ａに対して通行を促す情報を報知させる。報知制御部５ｅは、内側報知装置３ｂに対して通行の停止を促す情報を報知させる。例えば、出入口の内側から外側への通行が優先される場合、報知制御部５ｅは、外側報知装置３ａに対して通行の停止を促す情報を報知させる。報知制御部５ｅは、内側報知装置３ｂに対して通行を促す情報を報知させる。
【００３１】  次に、図２を用いて、管理装置５の動作の概要を説明する。  図２はこの発明の実態の形態１における入退管理システムの管理装置の動作の概要を説明するためのフローチャートである。
【００３２】  ステップＳ１では、ＩＤ認証部５ａと運動解析部５ｂとは、外側読取装置４ａまたは内側読取装置４ｂが識別体７から識別情報を読み取ったか否かを判定する。ステップＳ１で外側読取装置４ａまたは内側読取装置４ｂが識別体７から識別情報を読み取っていない場合は、ステップＳ１が繰り返される。ステップＳ１で外側読取装置４ａまたは内側読取装置４ｂが識別体７から識別情報を読み取った場合は、ステップＳ２に進む。
【００３３】  ステップＳ２では、ＩＤ認証部５ａは、認証処理を行う。その後、ステップＳ３に進む。ステップＳ３では、運動解析部５ｂは、識別体７の速度を解析する。その後、ステップＳ４に進む。
【００３４】  ステップＳ４では、記憶部５ｃは、ＩＤ認証部５ａにより認証された識別情報と運動解析部５ｂにより解析された識別体７の速度の情報とを対応付けて記憶する。その後、ステップＳ５に進む。
【００３５】  ステップＳ５では、電子錠制御部５ｄは、ＩＤ認証部５ａの認証結果と運動解析部５ｂの解析結果と記憶部５ｃに記憶された速度履歴６ｂとに基づいて電子錠２を制御する。その後、ステップＳ６に進む。ステップＳ６では、報知制御部５ｅは、ＩＤ認証部５ａの認証結果と運動解析部５ｂの解析結果と記憶部５ｃに記憶された速度履歴６ｂとに基づいて外側報知装置３ａと内側報知装置３ｂとを制御する。その後、動作が終了する。
【００３６】  以上で説明した実施の形態１によれば、識別体７の速度の値が閾値を超えた場合、当該識別体７の速度履歴６ｂに応じて異なる制御が行われる。このため、利用者に対して適切な行動を促すことができる。
【００３７】  例えば、当該識別体７の速度の値が閾値を超えた回数に応じて異なる制御が行われる。具体的には、電子錠２は、識別体７の速度履歴６ｂに応じて制御される。外側報知装置３ａまたは内側報知装置３ｂは、識別体７の速度履歴６ｂに応じて異なる内容を報知する。このため、利用者の状況に応じて適切な行動を促すことができる。
【００３８】  この際、当該識別体７の速度の値が閾値を超えた回数が予め設定された回数に到達した場合に出入口の通行を禁止してもよい。この場合、薬品庫等、より安全が求められる場所の安全性を確保することができる。
【００３９】  また、外側読取装置４ａと内側読取装置４ｂとが互いに異なる識別体７から識別情報を同時に読み取っている場合、出入口の通行の優先順位は、出入口の外側の識別体７の速度履歴６ｂと出入口の内側の識別体７の速度履歴６ｂとの比較結果に基づいて判定される。このため、出入口の外側の利用者と出入口の内側の利用者とが衝突することを回避することができる。
【００４０】  この際、当該識別体７の速度の値が閾値を超えた回数が予め設定された回数に到達した場合に出入口の通行の優先順位を下げてもよい。この場合、移動速度を下げることを利用者に促すことができる。
【００４１】  なお、自動ドアが設けられた出入口に対して入退管理システムを適用してもよい。この場合、出入口の通行を許可した際に当該出入口の自動ドアを開ければよい。出入口の通行を許可しない際に当該出入口の自動ドアを開けなければよい。この場合も、利用者に対して適切な行動を促すことができる。
【００４２】  また、セキュリティゲートが設けられた出入口に対して入退管理システムを適用してもよい。この場合、出入口の通行を許可した際に当該出入口のセキュリティゲートを開ければよい。出入口の通行を許可しない際に当該出入口のセキュリティゲートを開けなければよい。この場合も、利用者に対して適切な行動を促すことができる。
【００４３】  次に、図３を用いて、管理装置５の例を説明する。  図３はこの発明の実施の形態１における入退管理システムの管理装置のハードウェア構成図である。
【００４４】  管理装置５の各機能は、処理回路により実現し得る。例えば、処理回路は、少なくとも１つのプロセッサ８ａと少なくとも１つのメモリ８ｂとを備える。例えば、処理回路は、少なくとも１つの専用のハードウェア９を備える。
【００４５】  処理回路が少なくとも１つのプロセッサ８ａと少なくとも１つのメモリ８ｂとを備える場合、管理装置５の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ８ｂに格納される。少なくとも１つのプロセッサ８ａは、少なくとも１つのメモリ８ｂに記憶されたプログラムを読み出して実行することにより、管理装置５の各機能を実現する。少なくとも１つのプロセッサ８ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ８ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４６】  処理回路が少なくとも１つの専用のハードウェア９を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、入退管理機器６の各機能は、それぞれ処理回路で実現される。例えば、入退管理機器６の各機能は、まとめて処理回路で実現される。
【００４７】  管理装置５の各機能について、一部を専用のハードウェア９で実現し、他部をソフトウェア又はファームウェアで実現してもよい。例えば、運動解析部５ｂの機能については専用のハードウェア９としての処理回路で実現し、運動解析部５ｂ以外の機能については少なくとも１つのプロセッサ８ａが少なくとも１つのメモリ８ｂに格納されたプログラムを読み出して実行することによって実現してもよい。
【００４８】  このように、処理回路は、ハードウェア９、ソフトウェア、ファームウェア、又はこれらの組み合わせによって、管理装置５の各機能を実現する。
【００４９】実施の形態２．  図４はこの発明の実態の形態２における入退管理システムの構成図である。なお、実施の形態１と同一又は相当部分には、同一符号が付される。当該部分の説明は省略される。
【００５０】  図４において、エレベータは、建築物に設けられる。図示しない昇降路は、建築物の各階を貫く。複数の乗場１０の各々は、建築物の各階に設けられる。複数の乗場１０の各々は、昇降路に対向する。かご１１は、昇降路の内部に設けられる。
【００５１】  複数の乗場操作盤１２の各々は、複数の乗場１０の各々に設けられる。例えば、複数の乗場操作盤１２の各々は、図示しない上昇乗場呼びボタンを備える。例えば、複数の乗場操作盤１２の各々は、図示しない下降乗場呼びボタンを備える。
【００５２】  かご操作盤１３は、かご１１の内部に設けられる。例えば、かご操作盤１３は、図示しない行先階ボタンを備える。例えば、かご操作盤１３は、図示しない戸開ボタンを備える。例えば、かご操作盤１３は、図示しない戸閉ボタンを備える。
【００５３】  エレベータ制御部１４は、図示しないエレベータの制御盤に設けられる。例えば、エレベータ制御部１４は、かご１１の昇降を制御する。例えば、エレベータ制御部１４は、かご１１の扉の開閉を制御する。例えば、エレベータ制御部１４は、乗場操作盤１２の操作に基づいて乗場１０呼びを登録する。例えば、エレベータ制御部１４は、かご操作盤１３の操作に基づいてかご１１呼びを登録する。
【００５４】  複数の乗場側報知装置１５ａの各々は、複数の乗場１０の各々に設けられる。かご側報知装置１５ｂは、かご１１の内部に設けられる。
【００５５】  入退管理システムは、複数の乗場側読取装置１６ａとかご側読取装置１６ｂと管理装置５とを備える。
【００５６】  複数の乗場側読取装置１６ａの各々は、複数の乗場１０の各々において複数の乗場操作盤１２の各々の付近に設けられる。かご側読取装置１６ｂは、かご１１の内部においてかご操作盤１３の付近に設けられる。
【００５７】  管理装置５は、ＩＤ認証部５ａと運動解析部５ｂと記憶部５ｃとエレベータ制御信号出力部５ｆと報知制御部５ｅとを備える。
【００５８】  識別体７が複数の乗場側読取装置１６ａの各々またはかご側読取装置１６ｂに対して操作されると、複数の乗場側読取装置１６ａの各々またはかご側読取装置１６ｂは、識別体７から識別情報を読み取る。
【００５９】  管理装置５において、ＩＤ認証部５ａは、複数の乗場側読取装置１６ａの各々またはかご側読取装置１６ｂが識別体７から読み取った識別情報に基づいて認証処理を行う。例えば、ＩＤ認証部５ａは、複数の乗場側読取装置１６ａの各々またはかご側読取装置１６ｂが識別体７から読み取った識別情報と予め記憶した識別情報との比較結果に基づいてエレベータの利用可否を判定する。
【００６０】  運動解析部５ｂは、複数の乗場側読取装置１６ａの各々またはかご側読取装置１６ｂが識別体７から識別情報を読み取った際に当該識別体７の速度を解析する。例えば、運動解析部５ｂは、複数の乗場側読取装置１６ａの各々またはかご側読取装置１６ｂが識別体７から識別情報を読み取った際の電波強度の変化に基づいて当該識別体７の速度を解析する。
【００６１】  記憶部５ｃは、ＩＤ認証部５ａにより認証された識別情報を利用者ＩＤ情報６ａとして記憶する。記憶部５ｃは、運動解析部５ｂにより解析された識別体７の速度を速度履歴６ｂとして識別情報と対応付けて記憶する。
【００６２】  エレベータ制御信号出力部５ｆは、ＩＤ認証部５ａの認証結果と運動解析部５ｂの解析結果と記憶部５ｃに記憶された速度履歴６ｂとに基づいてエレベータ制御信号を出力する。識別体７の速度の値が閾値を超えた場合、エレベータ制御信号出力部５ｆは、当該識別体７の速度履歴６ｂに応じて異なるエレベータ制御信号を出力する。
【００６３】  エレベータ制御部１４は、エレベータ制御信号出力部５ｆから出力されたエレベータ制御信号に基づいてエレベータを制御する。識別体７の速度の値が閾値を超えた場合、エレベータ制御部１４は、当該識別体７の速度履歴６ｂに応じてエレベータに対して異なる制御を行う。
【００６４】  報知制御部５ｅは、ＩＤ認証部５ａの認証結果と運動解析部５ｂの解析結果と記憶部５ｃに記憶された速度履歴６ｂとに基づいて複数の乗場側報知装置１５ａの各々とかご側報知装置１５ｂとを制御する。
【００６５】  例えば、乗場側読取装置１６ａが識別体７から識別情報を読み取った際に当該識別体７の速度の値が閾値を超えた場合に、報知制御部５ｅは、当該識別体７の速度履歴６ｂの中で当該識別体７の速度の値が閾値を超えた回数が多いほど乗場側報知装置１５ａからのブザー音を大きくする。例えば、この際の閾値は、６ｋｍ／ｓに設定される。
【００６６】  例えば、かご側読取装置１６ｂが識別体７から識別情報を読み取った際に当該識別体７の速度の値が閾値を超えた場合に、報知制御部５ｅは、当該識別体７の速度履歴６ｂの中で当該識別体７の速度の値が閾値を越えた回数が多いほどかご側報知装置１５ｂからのブザー音を大きくする。例えば、この際の閾値は、６ｋｍ／ｓに設定される。
【００６７】  次に、図５を用いて、管理装置５の動作とエレベータの動作の概要を説明する。  図５はこの発明の実態の形態２における入退管理システムの管理装置の動作とエレベータの動作との概要を説明するためのフローチャートである。
【００６８】  ステップＳ１１では、ＩＤ認証部５ａと運動解析部５ｂとは、複数の乗場側読取装置１６ａの各々またはかご側読取装置１６ｂが識別体７から識別情報を読み取ったか否かを判定する。ステップＳ１１で複数の乗場１０室側読取装置の各々またはかご側読取装置１６ｂが識別体７から識別情報を読み取っていない場合は、ステップＳ１１が繰り返される。ステップＳ１１で複数の乗場側読取装置１６ａの各々またはかご側読取装置１６ｂが識別体７から識別情報を読み取った場合は、ステップＳ１２に進む。
【００６９】  ステップＳ１２では、ＩＤ認証部５ａは、認証処理を行う。その後、ステップＳ１３に進む。ステップＳ１３では、運動解析部５ｂは、識別体７の速度を解析する。その後、ステップＳ１４に進む。
【００７０】  ステップＳ１４では、記憶部５ｃは、ＩＤ認証部５ａにより認証された識別情報と運動解析部５ｂにより解析された識別体７の速度の情報とを対応付けて記憶する。その後、ステップＳ１５に進む。
【００７１】  ステップＳ１５では、エレベータ制御信号出力部５ｆは、ＩＤ認証部５ａの認証結果と運動解析部５ｂの解析結果と記憶部５ｃに記憶された速度履歴６ｂとに基づいてエレベータ制御信号を出力する。その後、ステップＳ１６に進む。
【００７２】  ステップＳ１６では、エレベータ制御部１４は、エレベータ制御信号出力部５ｆから出力されたエレベータ制御信号に基づいてエレベータを制御する。その後、ステップＳ１７に進む。
【００７３】  ステップＳ１７では、報知制御部５ｅは、ＩＤ認証部５ａの認証結果と運動解析部５ｂの解析結果と記憶部５ｃに記憶された速度履歴６ｂとに基づいて複数の乗場側報知装置１５ａの各々とかご側報知装置１５ｂとを制御する。その後、動作が終了する。
【００７４】  以上で説明した実施の形態２によれば、識別体７の速度の値が閾値を超えた場合、当該識別体７の速度履歴６ｂに応じて異なるエレベータの制御が行われる。このため、利用者に対して適切な行動を促すことができる。
【００７５】  例えば、識別体７の速度の値が閾値を超えた回数に応じて異なる制御を行えばよい。例えば、識別体７の速度の値が閾値を超えた回数が増えるほど、かご１１が到着できない利用制限階の設定を増やせばよい。利用制限の設定は、管理者が適宜設定できるようにしておけばよい。この場合、薬品庫のある階等、より安全が求められる階の安全性を確保することができる。
【００７６】  また、識別体７の速度の値が閾値を超えた際、当該識別体７を携帯した速度違反者に対し、ペナルティを与えてもよい。
【００７７】  例えば、当該識別体７の速度の値が閾値を超えた回数が予め設定された回数に到達し、当該識別体７が乗場側読取装置１６ａの読取範囲内に存在する場合、対応した乗場操作盤１２の操作結果を無効としてもよい。この際、当該操作結果が無効であることを示す情報を乗場側報知装置１５ａによる音声または表示で報知してもよい。さらに、当該識別体７の速度履歴６ｂに応じて異なる情報を対応した乗場側報知装置１５ａによる音声または表示で報知してもよい。この場合、速度違反者に対して適切な行動を促すことができる。
【００７８】  例えば、当該識別体７の速度の値が閾値を超えた回数が予め設定された回数に到達し、当該識別体７がかご側読取装置１６ｂの読取範囲内に存在する場合、かご操作盤１３の操作結果を無効としてもよい。この際、当該操作結果が無効であることを示す情報をかご側報知装置１５ｂによる音声または表示で報知してもよい。さらに、当該識別体７の速度履歴６ｂに応じて異なる情報をかご側報知装置１５ｂによる音声または表示で報知してもよい。この場合、速度違反者に対して適切な行動を促すことができる。
【００７９】  例えば、当該識別体７の速度の値が閾値を超えた回数が予め設定された回数に到達し、当該識別体７が乗場側読取装置１６ａの読取範囲内に存在する場合、かご１１が当該階に到着したときにエレベータ制御部１４によりかご１１の戸開を阻止してもよい。この際、速度違反者に対して当該乗場１０から離れることを促す情報を対応した乗場側報知装置１５ａによる音声または表示で報知してもよい。さらに、速度違反者が当該乗場１０にいるためにかご１１の戸開を見合わせていることを示す情報をかご側報知装置１５ｂにより報知してもよい。この場合、かご１１は、当該階において戸閉した状態で待機する。このため、速度違反者は、かご１１に乗ることすらできない。その結果、エレベータの安全性をより高めることができる。
【００８０】  例えば、当該識別体７の速度の値が閾値を超えた回数が予め設定された回数に到達し、当該識別体７がかご側読取装置１６ｂの読取範囲内に存在する場合、エレベータ制御部１４によりかご１１の戸閉および走行を阻止してもよい。この際、速度違反者に対してかご１１から降りることを促す情報をかご側報知装置１５ｂによる音声または表示で報知してもよい。この場合、他の利用者が速度違反者の利用制限階のかご１１呼びを登録していたとしても、かご１１は走行しない。このため、他の利用者の呼び登録により速度違反者が利用制限階に行くことを防止できる。その結果、利用制限階の安全性をより高めることができる。
【００８１】  また、建築物の内部において乗場１０以外の場所に乗場側読取装置１６ａを設けてもよい。例えば、乗場１０に通ずる通路に乗場側読取装置１６ａを設けてもよい。この場合、乗場１０以外における速度違反者に対してエレベータにおけるペナルティを与えることができる。このため、エレベータの安全性をより高めることができる。
【００８２】  また、乗場操作盤１２に行先階登録ボタンを設けてもよい。速度違反者の識別体７が乗場側読取装置１６ａの読取範囲内に存在する場合、乗場操作盤１２からの利用制限階への行先階の登録を制限してもよい。この場合、エレベータの安全性をより高めることができる。
【産業上の利用可能性】
【００８３】  以上のように、入退管理システムは、利用者に対して適切な行動を促すシステムに利用できる。
【符号の説明】
【００８４】  １  扉、  ２  電子錠、  ３ａ  外側報知装置、  ３ｂ  内側報知装置、  ４ａ  外側読取装置、  ４ｂ  内側読取装置、  ５  管理装置、  ５ａ  ＩＤ認証部、  ５ｂ  運動解析部、  ５ｃ  記憶部、  ５ｄ  電子錠制御部、  ５ｅ  報知制御部、  ５ｆ  エレベータ制御信号出力部、  ６ａ  利用者ＩＤ情報、  ６ｂ  速度履歴、  ７  識別体、  ８ａ  プロセッサ、  ８ｂ  メモリ、  ９  ハードウェア、  １０  乗場、  １１  かご、  １２  乗場操作盤、  １３  かご操作盤、  １４  エレベータ制御部、  １５ａ  乗場側報知装置、  １５ｂ  かご側報知装置、  １６ａ  乗場側読取装置、  １６ｂ  かご側読取装置
【図１】
2017203658.tif 000003
【図２】
2017203658.tif 000004
【図３】
2017203658.tif 000005
【図４】
2017203658.tif 000006
【図５】
2017203658.tif 000007
【国際調査報告】
2017203658.tif 000008
2017203658.tif 000009
2017203658.tif 000010
2017203658.tif 000011